(57)【特許請求の範囲】
【請求項１】
容量性負荷に印加する電圧をハイレベルとローレベルとに切り換えて前記容量性負荷を駆動する負荷駆動装置の過電流を検出する過電流検出回路であって、
クロック信号を生成するクロック信号生成部と、
前記負荷駆動装置が前記容量性負荷に供給する電流に応じた物理量と所定値とを比較し、前記クロック信号に同期して比較結果を出力する比較部と、
前記負荷駆動装置が前記容量性負荷にハイレベルの電圧を印加している期間において、前記クロック信号と前記比較部の前記比較結果とに基づいて前記負荷駆動装置が過電流状態である判定する判定部とを備える過電流検出回路。
【請求項２】
前記比較部は、前記クロック信号の立ち上がりタイミングで前記比較結果を出力する請求項１に記載の過電流検出回路。
【請求項３】
前記比較部は、前記クロック信号の立ち下がりタイミングで前記比較結果を出力する請求項１に記載の過電流検出回路。
【請求項４】
前記判定部は、前記負荷駆動装置が前記容量性負荷にハイレベルの電圧を印加している一の連続した期間における第１区間の前記クロック信号のクロック回数に基づいて前記負荷駆動装置が過電流状態であるか否かを判定し、
前記第１区間では、前記負荷駆動装置が前記容量性負荷に供給する電流に応じた物理量が所定値以上である請求項１〜３のいずれか一項に記載の過電流検出回路。
【請求項５】
容量性負荷に印加する電圧をハイレベルとローレベルとに切り換えて前記容量性負荷を駆動する負荷駆動装置の過電流を検出する過電流検出回路であって、
クロック信号を生成するクロック信号生成部と、
前記負荷駆動装置が前記容量性負荷に供給する電流に応じた物理量と所定値とを比較する比較部と、
前記負荷駆動装置が前記容量性負荷にハイレベルの電圧を印加している期間において、前記クロック信号と前記比較部の比較結果とに基づいて前記負荷駆動装置が過電流状態であるか否かを判定する判定部とを備え、
前記判定部は、前記負荷駆動装置が前記容量性負荷にハイレベルの電圧を印加している一の連続した期間における第２区間の前記クロック信号のクロック回数に基づいて前記負荷駆動装置が過電流状態であるか否かを判定し、
前記第２区間では、前記負荷駆動装置が前記容量性負荷に供給する電流に応じた物理量が所定値未満である過電流検出回路。
【請求項６】
容量性負荷に印加する電圧をハイレベルとローレベルとに切り換えて前記容量性負荷を駆動する負荷駆動装置の過電流を検出する過電流検出回路であって、
クロック信号を生成するクロック信号生成部と、
前記負荷駆動装置が前記容量性負荷に供給する電流に応じた物理量と所定値とを比較する比較部と、
前記負荷駆動装置が前記容量性負荷にハイレベルの電圧を印加している期間において、前記クロック信号と前記比較部の比較結果とに基づいて前記負荷駆動装置が過電流状態であるか否かを判定する判定部とを備え、
前記判定部は、前記期間における第１区間の前記クロック信号のクロック回数と前記期間における第２区間の前記クロック信号のクロック回数との比率に基づいて前記負荷駆動装置が過電流状態であるか否かを判定するとともに、
前記第１区間では、前記負荷駆動装置が前記容量性負荷に供給する電流に応じた物理量が所定値以上であり、前記第２区間では、前記負荷駆動装置が前記容量性負荷に供給する電流に応じた物理量が所定値未満である過電流検出回路。
【請求項７】
容量性負荷に印加する電圧をハイレベルとローレベルとに切り換えて前記容量性負荷を駆動する負荷駆動装置の過電流を検出する過電流検出回路であって、
クロック信号を生成するクロック信号生成部と、
前記負荷駆動装置が前記容量性負荷に供給する電流に応じた物理量と所定値とを比較する比較部と、
前記負荷駆動装置が前記容量性負荷にハイレベルの電圧を印加している期間において、前記クロック信号と前記比較部の比較結果とに基づいて前記負荷駆動装置が過電流状態であるか否かを判定する判定部とを備え、
前記判定部は、前記負荷駆動装置が前記容量性負荷にハイレベルの電圧を印加している一の連続した期間における前記クロック信号の所定番目のクロックの立ち上がり時点又は立ち下がり時点での前記比較部の比較結果に基づいて前記負荷駆動装置が過電流状態であるか否かを判定する過電流検出回路。
【請求項８】
容量性負荷に印加する電圧をハイレベルとローレベルとに切り換えて前記容量性負荷を駆動する負荷駆動装置の過電流を検出する過電流検出回路であって、
クロック信号を生成するクロック信号生成部と、
前記容量性負荷が前記負荷駆動装置に供給する電流に応じた物理量と所定値とを比較し、前記クロック信号に同期して比較結果を出力する比較部と、
前記負荷駆動装置が前記容量性負荷にローレベルの電圧を印加している期間において、前記クロック信号と前記比較部の前記比較結果とに基づいて前記負荷駆動装置が過電流状態であるか否かを判定する判定部とを備えることを特徴とする過電流検出回路。
【請求項９】
前記比較部は、前記クロック信号の立ち上がりタイミングで前記比較結果を出力する請求項８に記載の過電流検出回路。
【請求項１０】
前記比較部は、前記クロック信号の立ち下がりタイミングで前記比較結果を出力する請求項８に記載の過電流検出回路。
【請求項１１】
前記判定部は、前記負荷駆動装置が前記容量性負荷にローレベルの電圧を印加している一の連続した期間における第１区間の前記クロック信号のクロック回数に基づいて前記負荷駆動装置が過電流状態であるか否かを判定し、
前記第１区間では、前記容量性負荷が前記負荷駆動装置に供給する電流に応じた物理量が所定値以上である請求項８〜１０のいずれか一項に記載の過電流検出回路。
【請求項１２】
容量性負荷に印加する電圧をハイレベルとローレベルとに切り換えて前記容量性負荷を駆動する負荷駆動装置の過電流を検出する過電流検出回路であって、
クロック信号を生成するクロック信号生成部と、
前記容量性負荷が前記負荷駆動装置に供給する電流に応じた物理量と所定値とを比較する比較部と、
前記負荷駆動装置が前記容量性負荷にローレベルの電圧を印加している期間において、前記クロック信号と前記比較部の比較結果とに基づいて前記負荷駆動装置が過電流状態であるか否かを判定する判定部とを備え、
前記判定部は、前記負荷駆動装置が前記容量性負荷にローレベルの電圧を印加している一の連続した期間における第２区間の前記クロック信号のクロック回数に基づいて前記負荷駆動装置が過電流状態であるか否かを判定し、
前記第２区間では、前記容量性負荷が前記負荷駆動装置に供給する電流に応じた物理量が所定値未満である過電流検出回路。
【請求項１３】
容量性負荷に印加する電圧をハイレベルとローレベルとに切り換えて前記容量性負荷を駆動する負荷駆動装置の過電流を検出する過電流検出回路であって、
クロック信号を生成するクロック信号生成部と、
前記容量性負荷が前記負荷駆動装置に供給する電流に応じた物理量と所定値とを比較する比較部と、
前記負荷駆動装置が前記容量性負荷にローレベルの電圧を印加している期間において、前記クロック信号と前記比較部の比較結果とに基づいて前記負荷駆動装置が過電流状態であるか否かを判定する判定部とを備え、
前記判定部は、前記期間における第１区間の前記クロック信号のクロック回数と前記期間における第２区間の前記クロック信号のクロック回数との比率に基づいて前記負荷駆動装置が過電流状態であるか否かを判定し、
前記第１区間では、前記負荷駆動装置が前記容量性負荷に供給する電流に応じた物理量が所定値以上であり、前記第２区間では、前記負荷駆動装置が前記容量性負荷に供給する電流に応じた物理量が所定値未満である過電流検出回路。
【請求項１４】
容量性負荷に印加する電圧をハイレベルとローレベルとに切り換えて前記容量性負荷を駆動する負荷駆動装置の過電流を検出する過電流検出回路であって、
クロック信号を生成するクロック信号生成部と、
前記容量性負荷が前記負荷駆動装置に供給する電流に応じた物理量と所定値とを比較する比較部と、
前記負荷駆動装置が前記容量性負荷にローレベルの電圧を印加している期間において、前記クロック信号と前記比較部の比較結果とに基づいて前記負荷駆動装置が過電流状態であるか否かを判定する判定部とを備え、
前記判定部は、前記負荷駆動装置が前記容量性負荷にローレベルの電圧を印加している一の連続した期間における前記クロック信号の所定番目のクロックの立ち上がり時点又は立ち下がり時点での前記比較部の比較結果に基づいて前記負荷駆動装置が過電流状態であるか否かを判定する過電流検出回路。
【請求項１５】
容量性負荷に印加する電圧をハイレベルとローレベルとに切り換えて前記容量性負荷を駆動する負荷駆動装置の過電流を検出する過電流検出回路であって、
クロック信号を生成するクロック信号生成部と、
前記負荷駆動装置が前記容量性負荷に供給する電流に応じた物理量と所定値とを比較する比較部と、
前記負荷駆動装置が前記容量性負荷にハイレベルの電圧を印加している期間において、前記クロック信号と前記比較部の比較結果とに基づいて前記負荷駆動装置が過電流状態であるか否かを判定する判定部とを備え、
前記比較部の比較結果を保持する保持部を備え、
前記負荷駆動装置が過電流状態であるという前記比較部の比較結果を２以上の所定数前記保持部が保持したことによって前記負荷駆動装置の過電流を検出し、
前記負荷駆動装置が過電流状態であるという前記比較部の比較結果を２以上の所定数前記保持部が保持していないときは前記負荷駆動装置の過電流を検出しない過電流検出回路。
【請求項１６】
容量性負荷に印加する電圧をハイレベルとローレベルとに切り換えて前記容量性負荷を駆動する負荷駆動装置の過電流を検出する過電流検出回路であって、
クロック信号を生成するクロック信号生成部と、
前記容量性負荷が前記負荷駆動装置に供給する電流に応じた物理量と所定値とを比較する比較部と、
前記負荷駆動装置が前記容量性負荷にローレベルの電圧を印加している期間において、前記クロック信号と前記比較部の比較結果とに基づいて前記負荷駆動装置が過電流状態であるか否かを判定する判定部とを備え、
前記比較部の比較結果を保持する保持部を備え、
前記負荷駆動装置が過電流状態であるという前記比較部の比較結果を２以上の所定数前記保持部が保持したことによって前記負荷駆動装置の過電流を検出し、
前記負荷駆動装置が過電流状態であるという前記比較部の比較結果を２以上の所定数前記保持部が保持していないときは前記負荷駆動装置の過電流を検出しない過電流検出回路。
【請求項１７】
容量性負荷を駆動する負荷駆動装置と、
前記負荷駆動装置の過電流を検出する請求項１〜１６のいずれか一項に記載の過電流検出回路とを備えることを特徴とする過電流検出機能付き負荷駆動装置。
【請求項１８】
前記負荷駆動装置は、第１パルス信号を入力し、前記第１パルス信号よりも電圧振幅が大きい第２パルス信号を生成して出力するレベルシフタである請求項１７に記載の過電流検出機能付き負荷駆動装置。
【請求項１９】
ゲートドライバを内蔵した液晶表示パネルと、
前記ゲートドライバに出力信号を供給するレベルシフタを有する請求項１８に記載の過電流検出機能付き負荷駆動装置とを備えることを特徴とする液晶表示装置。
【発明の詳細な説明】
【技術分野】
【０００１】
本発明は、過電流検出回路に関する。
【背景技術】
【０００２】
画素回路とゲートドライバがガラス基板に直接実装されるタイプの液晶表示パネルでは、薄膜トランジスタを用いてゲートドライバを動作させるため、高い電圧をゲートドライバに供給する必要がある。このため、信号のレベル変換（電圧振幅の拡大）を行うレベルシフタをゲートドライバの前段に設ける。
【０００３】
ゲートドライバの前段に設けられるレベルシフタは、容量性負荷である液晶画素を駆動する。このため、レベルシフタの出力電圧がローレベルからハイレベルに切り換わるときにレベルシフタから容量性負荷に向かって充電電流が流れ、レベルシフタの出力電圧がハイレベルからローレベルに切り換わるときに容量性負荷からレベルシフタに向かって放電電流が流れる。
【０００４】
したがって、容量性負荷駆動用レベルシフタの過電流を検出する場合には、容量性負荷の充放電電流と、容量性負荷に異常が発生したことに起因する過電流とを区別する必要がある。容量性負荷駆動用レベルシフタの過電流を検出する一般的な過電流検出回路は、ＲＣフィルタによって上記の区別を実現している。
【０００５】
図７は、容量性負荷駆動用レベルシフタ及びその過電流を検出する一般的な過電流検出回路の構成を示す図である。
【０００６】
容量性負荷駆動用レベルシフタは、レベルシフタドライバＤ１と、Ｐチャネル型ＭＯＳトランジスタＱ１と、Ｎチャネル型ＭＯＳトランジスタＱ２とによって構成される。レベルシフタドライバＤ１は、パルス信号である入力電圧ＶＩＮを受け取り、入力電圧ＶＩＮの反転論理値を取る第１ゲート信号Ｇ１及びＧ２を生成し、第１ゲート信号Ｇ１をＭＯＳトランジスタＱ１に供給し、第２ゲート信号Ｇ２をＭＯＳトランジスタＱ２に供給する。これにより、ＭＯＳトランジスタＱ１とＭＯＳトランジスタＱ２は相補的にオンとオフを繰り返す。
【０００７】
ＭＯＳトランジスタＱ１のソースにはオン電圧ＶＯＮが印加され、ＭＯＳトランジスタＱ２のソースにはオン電圧ＶＯＮよりも低電圧であるオフ電圧ＶＯＦＦが印加される。したがって、ＭＯＳトランジスタＱ１のドレインとＭＯＳトランジスタＱ２のドレインとの接続ノードに発生する出力電圧ＶＯＵＴは、入力電圧ＶＩＮと同一論理値を取り且つ電圧振幅がオン電圧ＶＯＮとオフ電圧ＶＯＦＦとの差に等しい信号になる。出力電圧ＶＯＵＴは、コンデンサＣ１と抵抗Ｒ１とによって構成される容量性負荷に供給される。
【０００８】
一般的な過電流検出回路は、基準電圧源１０１と、コンパレータ１０２と、ＲＣフィルタ１０３とによって構成される。基準電圧源１０１は、過電流検出レベルＬＶＯＣＰに対応する基準電圧ＶＲＥＦを生成してコンパレータ１０２に出力する。コンパレータ１０２は、ＭＯＳトランジスタＱ１のドレイン−ソース間電圧ＶＤＳと基準電圧ＶＲＥＦとを比較する。ただし、コンパレータ１０２は、入力電圧ＶＩＮがローレベルである期間と入力電圧ＶＩＮがローレベルからハイレベルに切り換わった時点からマスク期間が経過する迄の間とにおいて、上記の比較動作を行わない。マスク期間の長さは、ＲＣフィルタ１０３の時定数によって決まる。なお、ＭＯＳトランジスタＱ１がオン状態であるときに、ＭＯＳトランジスタＱ１のドレイン−ソース間電圧ＶＤＳはＭＯＳトランジスタＱ１を流れる電流ＩＤＳに比例する。
【０００９】
ＭＯＳトランジスタＱ１のドレイン−ソース間電圧ＶＤＳが基準電圧ＶＲＥＦよりも大きいことがコンパレータ１０２の比較動作によって検出された場合、コンパレータ１０２から出力される比較結果信号に応じてレベルシフタドライバＤ１の動作が停止する。これにより、過電流保護がかかる。
【先行技術文献】
【特許文献】
【００１０】
【特許文献１】特開平１１−１６８８２９号公報
【発明の概要】
【発明が解決しようとする課題】
【００１１】
ＭＯＳトランジスタＱ１を流れる電流ＩＤＳは、図８及び図９に示すように、入力電圧ＶＩＮがローレベルからハイレベルに切り換わった時点すなわちマスク期間の開始時点において容量性負荷の充電電流により最も大きくなり、その後容量性負荷の充電電流の減少に伴って徐々に小さくなる。
【００１２】
そのため、マスク期間の終了時点が過電流の検出ポイントＤＰとなり、図８のように過電流の検出ポイントＤＰにおいてＭＯＳトランジスタＱ１を流れる電流ＩＤＳが過電流検出レベルＬＶＯＣＰ以下である場合に過電流が検出されず、図９のように過電流の検出ポイントＤＰにおいてＭＯＳトランジスタＱ１を流れる電流ＩＤＳが過電流検出レベルＬＶＯＣＰより大きい場合に過電流が検出される。
【００１３】
しかしながら、ＲＣフィルタ１０３の時定数はばらつきが大きく、過電流の検出ポイントＤＰはＲＣフィルタ１０３の時定数のばらつきによってばらつく。このため、一般的な過電流検出回路は、容量性負荷に異常が発生したことに起因する過電流を精度良く検出することができなかった。
【００１４】
なお、特許文献１で開示されている過電流制御部は、抵抗とコンデンサによって構成された時定数回路を用いて電源投入後の所定時間が経過する迄は過電流検出を行わないようにしている。このため、特許文献１で開示されている過電流制御部も上述した一般的な過電流検出回路と同様に、容量性負荷に異常が発生したことに起因する過電流を精度良く検出することができなかった。
【００１５】
本発明は、上記の状況に鑑み、容量性負荷に異常が発生したことに起因する過電流を精度良く検出することができる過電流検出回路を提供することを目的とする。
【課題を解決するための手段】
【００１６】
本明細書中に開示されている過電流検出回路は、容量性負荷に印加する電圧をハイレベルとローレベルとに切り換えて前記容量性負荷を駆動する負荷駆動装置の過電流を検出する過電流検出回路であって、クロック信号を生成するクロック信号生成部と、前記負荷駆動装置が前記容量性負荷に供給する電流に応じた物理量と所定値とを比較する比較部と、前記負荷駆動装置が前記容量性負荷にハイレベルの電圧を印加している期間において、前記クロック信号と前記比較部の比較結果とに基づいて前記負荷駆動装置が過電流状態であるか否かを判定する判定部とを備える構成（第１の構成）である。
【００１７】
また上記第１の構成の過電流検出回路において、前記判定部は、前記負荷駆動装置が前記容量性負荷にハイレベルの電圧を印加している一の連続した期間における第１区間の前記クロック信号のクロック回数に基づいて前記負荷駆動装置が過電流状態であるか否かを判定し、前記第１区間では、前記負荷駆動装置が前記容量性負荷に供給する電流に応じた物理量が所定値以上である構成（第２の構成）にしてもよい。
【００１８】
また上記第１又は第２の構成の過電流検出回路において、前記判定部は、前記負荷駆動装置が前記容量性負荷にハイレベルの電圧を印加している一の連続した期間における第２区間の前記クロック信号のクロック回数に基づいて前記負荷駆動装置が過電流状態であるか否かを判定し、前記第２区間では、前記負荷駆動装置が前記容量性負荷に供給する電流に応じた物理量が所定値未満である構成（第３の構成）にしてもよい。
【００１９】
また上記第３の構成の過電流検出回路において、前記判定部は、前記第１区間の前記クロック信号のクロック回数と前記第２区間の前記クロック信号のクロック回数との比率に基づいて前記負荷駆動装置が過電流状態であるか否かを判定する構成（第４の構成）にしてもよい。
【００２０】
また上記第１の構成の過電流検出回路において、前記判定部は、前記負荷駆動装置が前記容量性負荷にハイレベルの電圧を印加している一の連続した期間における前記クロック信号の所定番目のクロックの立ち上がり時点又は立ち下がり時点での前記比較部の比較結果に基づいて前記負荷駆動装置が過電流状態であるか否かを判定する構成（第５の構成）にしてもよい。
【００２１】
本明細書中に開示されている他の過電流検出回路は、容量性負荷に印加する電圧をハイレベルとローレベルとに切り換えて前記容量性負荷を駆動する負荷駆動装置の過電流を検出する過電流検出回路であって、クロック信号を生成するクロック信号生成部と、前記容量性負荷が前記負荷駆動装置に供給する電流に応じた物理量と所定値とを比較する比較部と、前記負荷駆動装置が前記容量性負荷にローレベルの電圧を印加している期間において、前記クロック信号と前記比較部の比較結果とに基づいて前記負荷駆動装置が過電流状態であるか否かを判定する判定部とを備える構成（第６の構成）である。
【００２２】
また上記第６の構成の過電流検出回路において、前記判定部は、前記負荷駆動装置が前記容量性負荷にローレベルの電圧を印加している一の連続した期間における第１区間の前記クロック信号のクロック回数に基づいて前記負荷駆動装置が過電流状態であるか否かを判定し、前記第１区間では、前記容量性負荷が前記負荷駆動装置に供給する電流に応じた物理量が所定値以上である構成（第７の構成）にしてもよい。
【００２３】
また上記第６又は第７の構成の過電流検出回路において、前記判定部は、前記負荷駆動装置が前記容量性負荷にローレベルの電圧を印加している一の連続した期間における第２区間の前記クロック信号のクロック回数に基づいて前記負荷駆動装置が過電流状態であるか否かを判定し、前記第２区間では、前記容量性負荷が前記負荷駆動装置に供給する電流に応じた物理量が所定値未満である構成（第８の構成）にしてもよい。
【００２４】
また上記第８の構成の過電流検出回路において、前記判定部は、前記第１区間の前記クロック信号のクロック回数と前記第２区間の前記クロック信号のクロック回数との比率に基づいて前記負荷駆動装置が過電流状態であるか否かを判定する構成（第９の構成）にしてもよい。
【００２５】
また上記第６の構成の過電流検出回路において、前記判定部は、前記負荷駆動装置が前記容量性負荷にローレベルの電圧を印加している一の連続した期間における前記クロック信号の所定番目のクロックの立ち上がり時点又は立ち下がり時点での前記比較部の比較結果に基づいて前記負荷駆動装置が過電流状態であるか否かを判定する構成（第１０の構成）にしてもよい。
【００２６】
また上記第１〜第１０いずれかの構成の過電流検出回路において、前記比較部の比較結果を保持する保持部を備え、前記負荷駆動装置が過電流状態であるという前記比較部の比較結果を２以上の所定数前記保持部が保持したことによって前記負荷駆動装置の過電流を検出し、前記負荷駆動装置が過電流状態であるという前記比較部の比較結果を２以上の所定数前記保持部が保持していないときは前記負荷駆動装置の過電流を検出しない構成（第１１の構成）にしてもよい。
【００２７】
本明細書中に開示されている過電流検出機能付き負荷駆動装置は、容量性負荷を駆動する負荷駆動装置と、前記負荷駆動装置の過電流を検出する上記第１〜第１１いずれかの構成の過電流検出回路とを備える構成（第１２の構成）である。
【００２８】
また上記第１２の構成の過電流検出機能付き負荷駆動装置において、前記負荷駆動装置は、第１パルス信号を入力し、前記第１パルス信号よりも電圧振幅が大きい第２パルス信号を生成して出力するレベルシフタである構成（第１３の構成）にしてもよい。
【００２９】
本明細書中に開示されている液晶表示装置は、ゲートドライバを内蔵した液晶表示パネルと、前記ゲートドライバに出力信号を供給するレベルシフタを有する上記第８の構成の過電流検出機能付き負荷駆動装置とを備える構成（第１４の構成）である。
【発明の効果】
【００３０】
本明細書中に開示されている過電流検出回路によれば、容量性負荷に異常が発生したことに起因する過電流を精度良く検出することができる。
【図面の簡単な説明】
【００３１】
【図１Ａ】過電流検出機能付きレベルシフタの一構成例を示す図
【図１Ｂ】過電流検出機能付きレベルシフタの他の構成例を示す図
【図１Ｃ】過電流検出機能付きレベルシフタの更に他の構成例を示す図
【図２】容量性負荷に異常が発生していない場合の電流波形を示す図
【図３】容量性負荷に異常が発生している場合の電流波形を示す図
【図４】液晶テレビの一構成例を示すブロック図
【図５】表示部の一構成例を示すブロック図
【図６Ａ】液晶テレビの正面図
【図６Ｂ】液晶テレビの側面図
【図６Ｃ】液晶テレビの背面図
【図７】レベルシフタ及び一般的な過電流検出回路の構成を示す図
【図８】容量性負荷に異常が発生していない場合の電流波形を示す図
【図９】容量性負荷に異常が発生している場合の電流波形を示す図
【発明を実施するための形態】
【００３２】
＜過電流検出機能付きレベルシフタ＞
図１Ａは過電流検出機能付きレベルシフタの一構成例を示す図である。図１Ａに示す過電流検出機能付きレベルシフタは、容量性負荷駆動用レベルシフタと、過電流検出回路とによって構成される。
【００３３】
容量性負荷駆動用レベルシフタは、レベルシフタドライバＤ１と、Ｐチャネル型ＭＯＳトランジスタＱ１と、Ｎチャネル型ＭＯＳトランジスタＱ２とによって構成されており、図７に示した容量性負荷駆動用レベルシフタと同一の構成であるため、詳細な説明を省略する。なお、図１Ａでは出力電圧ＶＯＵＴの電圧振幅を入圧電圧ＶＩＮの電圧振幅より大きくしている場合の入圧電圧ＶＩＮ及び出力電圧ＶＯＵＴの波形を図示しているが、オン電圧ＶＯＮ及びオフ電圧ＶＯＦＦの各設定値を調整することにより、出力電圧ＶＯＵＴの電圧振幅を入圧電圧ＶＩＮの電圧振幅より小さくすることも可能である。また、オン電圧ＶＯＮ及びオフ電圧ＶＯＦＦの各設定値を調整することにより、出力電圧ＶＯＵＴと入圧電圧ＶＩＮの電圧振幅を同一にして、出力電圧ＶＯＵＴと入圧電圧ＶＩＮのハイレベルの値を互いに異なるようにし、出力電圧ＶＯＵＴと入圧電圧ＶＩＮのローレベルの値を互いに異なるようにすることも可能である。
【００３４】
過電流検出回路は、基準電圧源１と、クロック信号生成部２と、コンパレータ３と、演算部４と、ロジックインタフェイス部５と、ＥＥＰＲＯＭ［Electrically Erasable Programmable Read-Only Memory］６と、出力バッファ７とによって構成される。
【００３５】
基準電圧源１は、過電流検出レベルＬＶＯＣＰに対応する基準電圧ＶＲＥＦを生成してコンパレータ３に出力する。クロック信号生成部２は、入力電圧ＶＩＮよりも周波数が高いクロック信号ＣＫを生成し、そのクロック信号ＣＫをコンパレータ３及び演算部４に出力する。
【００３６】
コンパレータ３は、入力電圧ＶＩＮ及びクロック信号ＣＫに基づいて、入力電圧ＶＩＮがハイレベルである期間（Ｐチャネル型ＭＯＳトランジスタＱ１がオン状態である期間）において、クロック信号ＣＫの立ち上がりタイミングでＭＯＳトランジスタＱ１のドレイン−ソース間電圧ＶＤＳと基準電圧ＶＲＥＦとを比較し、その比較結果を演算部４に出力する。なお、ＭＯＳトランジスタＱ１がオン状態であるときに、ＭＯＳトランジスタＱ１のドレイン−ソース間電圧ＶＤＳはＭＯＳトランジスタＱ１を流れる電流ＩＤＳに比例する。
【００３７】
演算部４は、入力電圧ＶＩＮ及びクロック信号ＣＫに基づいて、入力電圧ＶＩＮがハイレベルである期間（Ｐチャネル型ＭＯＳトランジスタＱ１がオン状態である期間）において、クロック信号ＣＫの立ち上がりタイミングでコンパレータ３の比較結果を受け取る。
【００３８】
演算部４は、入力電圧ＶＩＮがハイレベルである一の連続した期間（Ｐチャネル型ＭＯＳトランジスタＱ１がオン状態である一の連続した期間）におけるフェイル期間のクロック信号ＣＫのクロック回数をカウントする。フェイル期間は、ＭＯＳトランジスタＱ１のドレイン−ソース間電圧ＶＤＳが基準電圧ＶＲＥＦ以上であるという比較結果が得られている期間である。
【００３９】
演算部４は、入力電圧ＶＩＮがハイレベルである一の連続した期間（Ｐチャネル型ＭＯＳトランジスタＱ１がオン状態である一の連続した期間）におけるパス期間のクロック信号ＣＫのクロック回数もカウントする。パス期間は、ＭＯＳトランジスタＱ１のドレイン−ソース間電圧ＶＤＳが基準電圧ＶＲＥＦ未満であるという比較結果が得られている期間である。
【００４０】
ＭＯＳトランジスタＱ１を流れる電流ＩＤＳは、図２及び図３に示すように、入力電圧ＶＩＮがローレベルからハイレベルに切り換わった時点すなわちＰチャネル型ＭＯＳトランジスタＱ１がオン状態である一の連続した期間の開始時点において容量性負荷の充電電流により最も大きくなり、その後容量性負荷の充電電流の減少に伴って徐々に小さくなる。
【００４１】
そのため、容量性負荷に異常が発生したことに起因する過電流が流れていない場合は、図２に示すようにフェイル期間のクロック信号ＣＫのクロック回数（図２に示す例では２回）が少なくなりパス期間のクロック信号ＣＫのクロック回数（図２に示す例では１４回）が多くなる。これに対して、容量性負荷に異常が発生したことに起因する過電流が流れている場合は、図３に示すようにフェイル期間のクロック信号ＣＫのクロック回数（図３に示す例では１６回）が多くなりパス期間のクロック信号ＣＫのクロック回数（図３に示す例では０回）が少なくなる。また、パス期間はフェイル期間の後でしか現れない。
【００４２】
したがって、演算部４は、例えば下記（１）〜（４）のいずれかの判定基準に従って、容量性負荷に異常が発生したことに起因する過電流が流れているか否かを判定すればよい。
（１）フェイル期間のクロック信号ＣＫのクロック回数が第１閾値以上である場合に過電流が流れていると判定する。
（２）パス期間のクロック信号ＣＫのクロック回数が第２閾値以下である場合に過電流が流れていると判定する。
（３）フェイル期間のクロック信号ＣＫのクロック回数に対するパス期間のクロック信号ＣＫのクロック回数の比率が第３閾値以下である場合に過電流が流れていると判定する。
（４）Ｐチャネル型ＭＯＳトランジスタＱ１がオン状態である一の連続した期間におけるクロック信号ＣＫの所定番目のクロックの立ち上がり時点で、ＭＯＳトランジスタＱ１のドレイン−ソース間電圧ＶＤＳが基準電圧ＶＲＥＦ以上であれば過電流が流れていると判定する。
【００４３】
本構成例の過電流検出機能付きレベルシフタにおいて上記（１）〜（３）のいずれかの判定基準を用いると、複数のポイントでの比較結果を用いて判定が行われるので、過電流の検出ポイントＤＰのみの比較結果を用いて判定が行われる図７に示す過電流検出回路よりも過電流の検出精度が高くなる。
【００４４】
本構成例の過電流検出機能付きレベルシフタにおいて上記（４）の判定基準を用いると、一のポイントでの比較結果を用いて判定が行われることになるが、クロック信号によって一のポイントが決まるため、ＲＣフィルタの時定数によって決まる過電流の検出ポイントＤＰよりもポイント位置のばらつきが小さくなり、図７に示す過電流検出回路よりも過電流の検出精度が高くなる。
【００４５】
例えば本構成例の過電流検出機能付きレベルシフタを液晶テレビに搭載する場合に液晶テレビのモデルに応じて容量性負荷の容量値が変わることがある。しかしながら、本構成例の過電流検出機能付きレベルシフタでは、上記（１）〜（４）の判定基準で用いられるパラメータ（第１閾値等）の設定値を変更することで、容量性負荷の容量値の変更に容易に対応することができる。すなわち、本構成例の過電流検出機能付きレベルシフタは、容量性負荷に異常が発生したことに起因する過電流が流れているか否かの判定に対する冗長性が高い。例えば、上記（１）〜（４）の判定基準で用いられるパラメータ（第１閾値等）の設定値をＥＥＰＲＯＭ６に記憶させておき、Ｉ２Ｃなどのバスを用いて外部からロジックインタフェイス部を介して上記（１）〜（４）の判定基準で用いられるパラメータ（第１閾値等）の設定値を書き換えるようにしてもよい。
【００４６】
演算部４は、下記（１）〜（４）のいずれかの判定基準に従って実行された判定の結果を演算部４内のレジスタに保持し、過電流が流れているという判定結果が２以上の所定数に達したときに初めて過電流を検出することが望ましい。過電流が流れているという判定結果が１回得られただけで過電流を検出することもできるが、この場合はノイズ等による過電流の誤検出が生じる可能性がある。なお、上記の過電流が流れているという判定結果が２以上の所定数に達するという条件は、例えば、過電流が流れていないという判定結果を挟むこと無く過電流が流れているという判定結果が連続して所定数に達した場合としてもよく、所定数（例えば３回）より多い回数（例えば５回）の連続した判定結果群において、過電流が流れているという判定結果が所定数（例えば３回）以上得られた場合としてもよい。
【００４７】
演算部４は、過電流を検出した場合に下記（i）〜（iii）の処理を少なくとも一つ行うようにすればよい。
（i）レベルシフタドライバＤ１の動作を停止させる。これにより、過電流保護がかかる。
（i i）過電流を検出したことを知らせる信号を出力バッファ７を介して外部に出力する。
（iii）過電流を検出したことをロジックインタフェイス部５を介してＥＥＰＲＯＭ６に記憶させる。
【００４８】
また、例えば上記（１）〜（４）のいずれかの判定基準で用いたフェイル期間のクロック信号ＣＫのクロック回数等をログデータとしてＥＥＰＲＯＭ６に記憶させてもよい。このログデータを解析することにより、過電流の検出に至らない段階でも徐々に過電流に近づいている傾向があることを検出すること等が可能になる。
【００４９】
＜液晶テレビへの適用＞
図４は、上記の過電流検出機能付きレベルシフタを搭載した液晶テレビの一構成例を示すブロック図である。また、図５は、液晶テレビが搭載する表示部の概略構成例を示す図である。
【００５０】
本構成例の液晶テレビＡは、チューナ部Ａ１と、デコーダ部Ａ２と、表示部Ａ３と、スピーカ部Ａ４と、操作部Ａ５と、インタフェイス部Ａ６と、制御部Ａ７と、電源部Ａ８と、を有する。
【００５１】
表示部Ａ３は、タイミングコントローラ１１と、過電流検出機能付きレベルシフタ群１２と、ゲートドライバ１３及び液晶画素アレイ１４を内蔵する液晶表示パネル１５と、ソースドライバ１６と、を有する。ゲートドライバ１３及び液晶画素アレイ１４は液晶表示パネル１５のガラス基板に直接実装される。
【００５２】
液晶画素アレイ１４は、複数のデータ線と、複数のデータ線と直交するように配置される複数の走査線と、データ線および走査線の交点にマトリクス状に配置された複数の画素回路とを備える。ゲートドライバ１３は、液晶画素アレイ１４の複数の走査線を順次選択する。ソースドライバ１６は、階調電圧（発光階調に応じたアナログ電圧）を液晶画素アレイ１４の各データ線に印加して液晶画素アレイ１４の各データ線を駆動する。
【００５３】
タイミングコントローラ１１は、ゲートドライバ１３及びソースドライバ１６の各動作のタイミングを制御する。液晶画素アレイ１４の各画素回路は、液晶層を有しており、対応する走査線によって選択されているときに、対応するデータ線に印加される階調電圧に応じて液晶層の透光度を可変する。
【００５４】
タイミングコントローラ１１とゲートドライバ１３との間には、過電流検出機能付きレベルシフタ群１２が設けられている。過電流検出機能付きレベルシフタ群１２は、上記の過電流検出機能付きレベルシフタを液晶画素アレイ１４の走査線と同数備える。タイミングコントローラ１１は、過電流検出機能付きレベルシフタ群１２内の各レベルシフタに順次パルス信号を供給する。タイミングコントローラ１１から過電流検出機能付きレベルシフタ群１２に出力されるパルス信号は、例えば０Ｖと３．３Ｖとの間でパルス駆動される信号である。一方、過電流検出機能付きレベルシフタ群１２からゲートドライバ１３に出力されるパルス信号は、例えば−１２Ｖと３０Ｖとの間でパルス駆動される信号である。
すなわち、過電流検出機能付きレベルシフタ群１２内の各レベルシフタは、入力したパルス信号（入力電圧ＶＩＮに相当するパルス信号）よりも電圧振幅が大きいパルス信号（出力電圧ＶＯＵＴに相当するパルス信号）を出力する。
【００５５】
また、図６Ａ〜図６Ｃは、それぞれ、過電流検出機能付きレベルシフタを搭載した液晶テレビの正面図、側面図、及び、背面図である。
【００５６】
チューナ部Ａ１は、液晶テレビＡに外部接続されるアンテナＡ０で受信された受信信号から所望チャンネルの放送信号を選局する。
【００５７】
デコーダ部Ａ２は、チューナＡ１で選局された放送信号から映像信号と音声信号を生成する。また、デコーダ部Ａ２は、インタフェイス部Ａ６からの外部入力信号に基づいて、映像信号と音声信号を生成する機能も備えている。
【００５８】
表示部Ａ３は、デコーダ部Ａ２で生成された映像信号を映像として出力する。
【００５９】
スピーカ部Ａ４は、デコーダ部Ａ２で生成された音声信号を音声として出力する。
【００６０】
操作部Ａ５は、ユーザ操作を受け付けるヒューマンインタフェイスの一つである。操作部Ａ５としては、ボタン、スイッチ、リモートコントローラなどを用いることができる。
【００６１】
インタフェイス部Ａ６は、外部デバイス（光ディスクプレーヤやハードディスクドライブなど）から外部入力信号を受け付けるフロントエンドである。
【００６２】
制御部Ａ７は、上記各部Ａ１〜Ａ６の動作を統括的に制御する。制御部Ａ７としては、ＣＰＵ［Central Processing Unit］などを用いることができる。
【００６３】
電源部Ａ８は、上記各部Ａ１〜Ａ７に電力供給を行う。
【００６４】
＜その他の変形例＞
なお、本発明の構成は、上記実施形態のほか、発明の主旨を逸脱しない範囲で種々の変更を加えることが可能である。
【００６５】
上述した実施形態では、クロック信号ＣＫの立ち上がりタイミングでのコンパレータ３の比較結果に基づいて過電流の検出を行ったが、クロック信号ＣＫの立ち下がりタイミングでのコンパレータ３の比較結果に基づいて過電流の検出を行ってもよい。
【００６６】
上述した実施形態では、過電流検出機能付きレベルシフタを液晶テレビに適用したが、パーソナルコンピュータの液晶モニタなどの他の液晶表示装置に適用してもよい。
【００６７】
また上述した実施形態では、過電流検出回路をレベルシフタに適用したが、容量性負荷を駆動する他の負荷駆動装置に適用してもよい。
【００６８】
また上述した実施形態では、ＭＯＳトランジスタＱ１を流れる電流に関して過電流を検出したが、図１Ｂに示す構成にして、入力電圧ＶＩＮがローレベルである期間（ＭＯＳトランジスタＱ２がオン状態である期間）において、コンパレータ３がＭＯＳトランジスタＱ２のドレイン−ソース間電圧と基準電圧ＶＲＥＦとを比較し、その比較結果を演算部４が受け取るようにしてもよい。図１Ｂに示す構成では、上述した実施形態での入力電圧ＶＩＮがハイレベルである期間における動作が、入力電圧ＶＩＮがローレベルである期間における動作に変わるけれども動作自体の基本的な内容は変わらないため、ここでは詳細な説明を省略する。図１Ｂに示す構成によると、ＭＯＳトランジスタＱ２を流れる電流に関して過電流を検出することになる。
【００６９】
なお、図１Ａに示す構成と図１Ｂに示す構成を組み合わせて実施することも可能である。この場合、過電流検出回路は、入力電圧ＶＩＮがハイレベルである期間においてＭＯＳトランジスタＱ１を流れる電流に関して過電流を検出し、入力電圧ＶＩＮがローレベルである期間においてＭＯＳトランジスタＱ２を流れる電流に関して過電流を検出する。また、図１Ａに示す構成と図１Ｂに示す構成を単純に組み合わせても良いが、図１Ｃに示す構成のようにコンパレータ３とＭＯＳトランジスタＱ１及びＱ２との間にスイッチＳＷ１を設けてもよい。スイッチＳＷ１は、入力電圧ＶＩＮがハイレベルである期間においてＭＯＳトランジスタＱ１のドレイン及びソースをコンパレータ３の接続先として選択し、入力電圧ＶＩＮがローレベルである期間においてＭＯＳトランジスタＱ２のドレイン及びソースをコンパレータ３の接続先として選択する。
【００７０】
このように、上記実施形態は、全ての点で例示であって、制限的なものではないと考えられるべきであり、本発明の技術的範囲は、上記実施形態の説明ではなく、特許請求の範囲によって示されるものであり、特許請求の範囲と均等の意味及び範囲内に属する全ての変更が含まれると理解されるべきである。
【産業上の利用可能性】
【００７１】
本発明は、あらゆる分野（家電分野、自動車分野、産業機械分野など）で用いられる容量性負荷を駆動する負荷駆動装置の過電流検出に利用することが可能である。
【符号の説明】
【００７２】
１  基準電圧源
２  クロック信号生成部
３  コンパレータ
４  演算部
５  ロジックインタフェイス部
６  ＥＥＰＲＯＭ
７  出力バッファ
１１  タイミングコントローラ
１２  過電流検出機能付きレベルシフタ群
１３  ゲートドライバ
１４  液晶画素アレイ
１５  液晶表示パネル
１６  ソースドライバ
Ａ    液晶テレビ
Ａ０    アンテナ
Ａ１    チューナ部
Ａ２    デコーダ部
Ａ３    表示部
Ａ４    スピーカ部
Ａ５    操作部
Ａ６    インタフェイス部
Ａ７    制御部
Ａ８    電源部
Ｃ１  コンデンサ
Ｄ１  レベルシフタドライバ
Ｑ１、Ｑ２  ＭＯＳトランジスタ
Ｒ１  抵抗
ＳＷ１  スイッチ
【図１Ａ】
0006730835.tif 000002
【図１Ｂ】
0006730835.tif 000003
【図１Ｃ】
0006730835.tif 000004
【図２】
0006730835.tif 000005
【図３】
0006730835.tif 000006
【図４】
0006730835.tif 000007
【図５】
0006730835.tif 000008
【図６Ａ】
0006730835.tif 000009
【図６Ｂ】
0006730835.tif 000010
【図６Ｃ】
0006730835.tif 000011
【図７】
0006730835.tif 000012
【図８】
0006730835.tif 000013
【図９】
0006730835.tif 000014